(57)【要約】      （修正有）【課題】ベランダの外壁の厚さ寸法が異なる場合でも、吊り足場を簡単に設置し取り外しできると共に、設置現場において簡単に組み立てすることができる吊り足場を提供する。【解決手段】矩形状の枠体の四隅部に立設した支柱２と下部枠体３と足場板４と交叉ブレース５と、１対の上部枠体６，６と、上部枠体６の前端に延設した延長部６，６ａに設けられて、建物の屋内側に垂設される支持杆２０とを備えてなる吊り足場１である。上部枠体６の延長部６ａには、支持杆２０より後方位置に移動可能に嵌合されて垂設される可動板３０と、上部枠体６の延長部６ａに嵌合されて建物１００の屋外側に垂設される固定体４０とを有し、固定体４０と可動板３０との間に建物の外壁１０２を嵌装し、調節ボルト２１，２２により可動板３０を移動し、建物の外壁１０２を固定体４０と可動板３０とで挟持するようにした。【選択図】図１
2013113069.tif 000002
【特許請求の範囲】
【請求項１】
平面視において矩形状の枠体を形成した吊り足場であって、前記矩形状枠体の少なくとも四隅部に立設した支柱と、前記支柱同士間の下端部近くに横設した下部枠体と、この下部枠体に着脱自在に設けた足場板と、左右の後部支柱間と、左側の後部支柱と前部支柱間と、右側の後部支柱と前部支柱間とに、それぞれ設けた交叉ブレースと、前記左側の後部支柱と前部支柱及び右側の後部支柱と前部支柱の上端に、それぞれ横設した１対の上部枠体と、前記上部枠体の前端に延設した延長部に設けられて、建物の屋内側に垂設される支持杆とを備えてなる吊り足場であって、
前記支持杆には調節ボルトを横設すると共に、前記上部枠体の延長部には、前記支持杆より後方位置に該延長部に移動可能に嵌合されて垂設される可動板と、この可動板より後方位置の前記上部枠体の延長部に嵌合されて建物の屋外側に垂設される固定体とを有し、前記固定体と可動板との間に建物の外壁を嵌装し、前記支持杆に設けた調節ボルトにより前記可動板を移動し、建物の外壁を固定体と可動板とで挟持するようにしたことを特徴とする吊り足場。
【請求項２】
前記可動板と固定体には、それぞれ、建物の外壁を挟持する面に緩衝材を設けてあることを特徴とする請求項１に記載の吊り足場。
【請求項３】
前記固定体は、上部枠体の延長部に少し揺動できるように遊嵌合してあることを特徴とする請求項１または２に記載の吊り足場。
【請求項４】
吊り足場を建物の外壁に設置する場合には、該建物の外壁の頂面部には緩衝材からなる当て布を設け、この当て布を前記上部枠体の延長部と可動板及び固定体の上端とで挟持すると共に、可動板を建物の外壁の屋内側面に当接し、固定体を前記外壁の屋外側面に当接させるようにしたことを特徴とする請求項１〜３のいずれかに記載の吊り足場。
【請求項５】
前部支柱には緩衝材が前方へ突設してあることを特徴とする請求項１〜４のいずれかに記載の吊り足場。
【請求項６】
少なくとも、前記上部枠体は前部支柱及び後部支柱に対し、交叉ブレースは各支柱に対し、足場板は下部枠体に対し、それぞれ着脱自在に設けてある請求項１〜５のいずれかに記載の吊り足場。
【発明の詳細な説明】
【技術分野】
【０００１】
本発明は、建物の外壁の仕上げ作業や躯体の作業等の際に利用する吊り足場に関する。
【背景技術】
【０００２】
従来、この種の吊り足場としては、  特開平９−２２８６２６号公報（以下、特許文献１という。）記載の吊り足場が知られている。
【０００３】
この特許文献１記載の吊り足場は、建築物の屋外側に配在される本体部と屋内側に配在される支持部とを有して左右で一対とされ、それぞれがメインローラを保持する側面用縦枠体と、該一対の側面用縦枠体における本体部に分離可能に連結される複数の足場板、交叉ブレース及び手摺と、前記一対の側面用縦枠体における支持部に分離可能に連結される交叉ブレース及び上下二段の連結材を有してなるものである。
これにより、特許文献１の吊り足場によれば、移動型にして建築物における外壁の仕上げ作業の際の利用のに適するのは勿論、組立式にして不使用時の搬送や保管等を効率良く容易にし、特に、中高層等の建築物におけるベランダの外壁の仕上げ作業の際の利用に最適なものとされている。
【０００４】
すなわち、前記特許文献１の吊り足場では、該特許文献１の図２に示されているように、建築物の屋内側（例えばベランダ）に配在される支持部１ｂの下端にメインローラ７を設け、このメインローラ７をベランダＶの床面Ｆを移動可能としている。そして、支持部１ｂの下部側にはサブローラ８を設け、該支持部１ｂとベランダＶの外壁Ｗとの間に適宜間隔を維持して、支持部１ｂと外壁Ｗとの直接接触を避け、該吊り足場の円滑な移動が可能としている。また、建築物（例えばベランダ）の外側に配在される本体部１ａの下部側にはサブローラ９を設け、ベランダＶの外壁Ｗの屋外側面に当接されるようにしている。
これにより、前記サブローラ８とサブローラ９との協働により、吊り足場が建築物の屋外側に前傾するのを防止するようにしている。
【先行技術文献】
【特許文献】
【０００５】
【特許文献１】特開平９−２２８６２６号公報
【発明の概要】
【発明が解決しようとする課題】
【０００６】
しかしながら、前記特許文献１の吊り足場によれば、前述したように、建築物の屋内側のサブローラ８をベランダＶの外壁Ｗの屋内側の側面に対面させ、本体部１ａに設けたサブローラ９をベランダＶの外壁Ｗの屋外側の側面に対面させる構成であるので、前記サブローラ８とサブローラ９とが対面するベランダＶの外壁Ｗの厚さ寸法が、各種建築物の構造によって異なる場合に、該吊り足場を設置し得ないとか、又は、サブローラ８とサブローラ９の各々の幅方向の取付位置等を調整する必要がある等の問題点がある。
【０００７】
つまり、両サブローラ８、９が対面するベランダＶの外壁Ｗの厚さ寸法が長い場合には、吊り足場をベランダに設置することができない。そのため、両サブローラ８、９の取付位置等を調整する必要がある。
一方、ベランダＶの外壁Ｗの厚さ寸法が短い場合には、サブローラ８、９が、外壁Ｗの屋内側又は屋外側の側面に対して離間するため、例えば、外壁の屋外側面の仕上げ作業中に、強風等で該吊り足場が揺動した際に、外壁の室外側面をサブローラ９が傷つけるし、またサブローラ８も外壁の屋内側面を傷つけるという問題がある。
【０００８】
本発明は、上記特許文献１の吊り足場の有する問題点を解消するために案出したものであり、建物の例えばベランダの外壁の厚さ寸法が異なる場合でも、吊り足場を簡単に設置し取り外しできると共に、設置現場において簡単に組み立てすることができる等の利点を有する吊り足場を提供することを目的とする。
【課題を解決するための手段】
【０００９】
上記目的を達成するため、本発明の請求項１の吊り足場は、平面視において矩形状の枠体を形成した吊り足場であって、前記矩形状枠体の少なくとも四隅部に立設した支柱と、前記支柱同士間の下端部近くに横設した下部枠体と、この下部枠体に着脱自在に設けた足場板と、左右の後部支柱間と、左側の後部支柱と前部支柱間と、右側の後部支柱と前部支柱間とに、それぞれ設けた交叉ブレースと、前記左側の後部支柱と前部支柱及び右側の後部支柱と前部支柱の上端に、それぞれ横設した１対の上部枠体と、前記上部枠体の前端に延設した延長部に設けられて、建物の屋内側に垂設される支持杆とを備えてなる吊り足場であって、
前記支持杆には調節ボルトを横設すると共に、前記上部枠体の延長部には、前記支持杆より後方位置に該延長部に移動可能に嵌合されて垂設される可動板と、この可動板より後方位置の前記上部枠体の延長部に嵌合されて建物の屋外側に垂設される固定体とを有し、前記固定体と可動板との間に建物の外壁を嵌装し、前記支持杆に設けた調節ボルトにより前記可動板を移動し、建物の外壁を固定体と可動板とで挟持するようにしたことを特徴とする。
【００１０】
請求項２の吊り足場は、前記可動板と固定体には、それぞれ、建物の外壁を挟持する面に緩衝材を設けてあることを特徴とする。
ここで、緩衝材としては、緩衝ゴムや緩衝性に富む合成樹脂製のものを用いるとよい。
【００１１】
請求項３の吊り足場は、前記固定体は、上部枠体の延長部に少し揺動できるように遊嵌合してあることを特徴とする。
【００１２】
請求項４の吊り足場は、吊り足場を建物の外壁に設置する場合には、該建物の外壁の頂面部には緩衝材からなる当て布を設け、この当て布を前記上部枠体の延長部と可動板及び固定体の上端とで挟持すると共に、可動板を建物の外壁の屋内側面に当接し、固定体を前記外壁の屋外側面に当接させるようにしてある。
【００１３】
請求項５の吊り足場は、前部支柱には緩衝材が前方へ突設してある。
【００１４】
請求項６の吊り足場は、少なくとも、前記上部枠体は前部支柱及び後部支柱に対し、交叉ブレースは各支柱に対し、足場板は下部枠体に対し、それぞれ着脱自在に設けてある方が好ましい。
【発明の効果】
【００１５】
本発明の請求項１の発明によれば、上部枠体の前端延長部に設けられた支持杆には調節ボルトを横設すると共に、前記上部枠体の延長部には、前記支持杆より後方位置に該延長部に移動可能に嵌合されて垂設される可動板と、この可動板より後方位置の前記上部枠体の延長部に嵌合されて建物の屋外側に垂設される固定体とを有し、前記固定体と可動板との間に建物の外壁を嵌装し、前記支持杆に設けた調節ボルトにより前記可動板を移動し、建物の外壁を固定体と可動板とで挟持するようにしているから、建物のベランダの外壁の厚さ寸法の長短いずれに対しても、建物の外壁を固定体と可動板とで挟持できるため、強風下における建物の外壁の仕上げ作業等の際でも、吊り足場が揺動するのを防止できるばかりか、建物の外壁を汚したり損傷することがない等の効果を有する。
【００１６】
請求項２の発明によれば、前記可動板と固定体には、それぞれ、建物の外壁を挟持する面に緩衝材を設けてあるから、緩衝材の作用により建物のベランダ等の外壁を汚したり、損傷したりすることがない。
【００１７】
請求項３の発明によれば、前記固定体は、上部枠体の延長部に少し揺動できるように遊嵌合してあるから、この吊り足場を建物のベランダ等に設置するとき、又は強風下における作業中などにおいて、ベランダの外壁又は該固定体の寸法誤差に基因して、固定体がベランダ等の外壁の外側面に面一状に当接することができる。
【００１８】
請求項４の発明によれば、吊り足場を建物の外壁に設置する場合には、該建物の外壁の頂面部には緩衝材からなる当て布を設け、この当て布を上部枠体の延長部と可動板及び固定体の上端とで挟持すると共に、可動板を建物の外壁の屋内側面に当接し、固定体を前記外壁の屋外側面に当接させるようにしてあるから、建物のベランダ等における外壁の頂面及び上部内外側面を汚したり、損傷することがない。
【００１９】
請求項５の発明によれば、前部支柱には緩衝材が前方へ突設してあるから、建物のベランダ等における外壁の外側面を汚したり、損傷したりすることがない。
【００２０】
請求項６の発明によれば、少なくとも、前記上部枠体は前部支柱及び後部支柱に対し、交叉ブレースは各支柱に対し、足場板は下部枠体に対し、それぞれ着脱自在に設けてあるから、矩形状の枠体のうち、少なくとも、上部枠体と交叉ブレースと足場板とが、枠体から取り外しできて嵩張りを小さくできるため、荷造りや搬送に便利である。また、これらの構成部品を作業現場で簡単に組立できて便利である。
【図面の簡単な説明】
【００２１】
【図１】本発明に係る吊り足場を建物の外壁に設置した状態を示した概略斜視図である。
【図２】図１における吊り足場を別方向から見た概略斜視図である。
【図３】図１における吊り足場の上部枠体の延長部近傍を建物のベランダ側から見た概略斜視図である。
【図４】図１の右方向から吊り足場を見た右側面図である。
【図５】図１で左側の前部支柱と上部枠体と固定体と可動板と支持杆とを右方向から見た一部側面図である。
【図６】図５における一部拡大斜視図である。
【図７】図１で左側の後部支柱と前部支柱と上部枠体等を右方向から見た拡大部分斜視図である。
【発明を実施するための形態】
【００２２】
本発明の実施形態を添付の図面に沿って以下に説明する。本発明に係る吊り足場は、平面視において矩形状の枠体を形成した吊り足場１であって、前記矩形状枠体の少なくとも四隅部に立設した支柱２と、前記支柱２、２同士間の下端部近くに横設した下部枠体３と、この下部枠体３、３に着脱自在に設けた足場板４と、左右の後部支柱２ｂ、２ｄ間と、左側の後部支柱２ｂと前部支柱２ａ間と、右側の後部支柱２ｄと前部支柱２ｃ間とに、それぞれ設けた交叉ブレース５と、前記左側の後部支柱２ｂと前部支柱２ａ及び右側の後部支柱２ｄと前部支柱２ｃの上端に、それぞれ横設した１対の上部枠体６と、前記上部枠体６の前端に延設した延長部６ａに設けられて、建物１００の屋内側に垂設される支持杆２０とを備えてなるものである。
上記構成において、前記支持杆２０には調節ボルト２１、２２を横設すると共に、前記上部枠体６の延長部６ａには、前記支持杆２０より後方位置に該延長部６ａに移動可能に嵌合されて垂設される可動板３０と、この可動板３０より後方位置の前記上部枠体６の延長部６ａに嵌合されて建物１００の屋外側に垂設される固定体４０とを有し、前記固定体４０と可動板３０との間に建物１００の外壁１０２を嵌装し、前記支持杆２０に設けた調節ボルト２１、２２により前記可動板３０を移動し、建物１００の外壁１０２を固定体４０と可動板３０とで挟持するようにしたことを特徴とする。
【００２３】
前記可動板３０と固定体４０は、それぞれ、建物１００の外壁１０２を挟持する面が平滑面状の板でもよいが、挟持される建物の外壁面を汚したり損傷しないように、当該可動板３０と固定体４０の外壁１０２に対する挟持面を、別体又は一体的に設けた緩衝ゴム等の緩衝材３５、４６を設けてある。
【００２４】
前記固定体４０は、上部枠体６の延長部６ａに嵌合するのであるが、その場合に少し揺動できるように遊嵌合してある。
【００２５】
また、吊り足場１を建物１００の外壁１０２に設置する場合には、該建物１００の外壁１０２の頂面部には緩衝材からなる当て布１０３を設け、この当て布１０３を前記上部枠体６の延長部６ａと可動板３０及び固定体４０の上端とで挟持すると共に、可動板３０を建物１００の外壁１０２の屋内側面に当接し、固定体４０を前記外壁１０２の屋外側面に当接させるようにしてある。
【００２６】
前部支柱２ａ、２ｃには緩衝材５０、５０が前方へ突設してある。
【００２７】
さらに、少なくとも、前記上部枠体６は前部支柱２ａ、２ｃ及び後部支柱２ｂ、２ｄに対し、交叉ブレース５は各支柱２に対し、足場板４は下部枠体３に対し、それぞれ着脱自在に設けてある。
より、詳細には、以下の実施例を参照するとよい。
【実施例１】
【００２８】
本発明の実施例の１例を図１〜図７に基づいて以下に説明する。
図１は本発明に係る吊り足場を建物のベランダの外壁に設置した状態を示した概略斜視図である。図２は図１における吊り足場を別方向から見た概略斜視図である。図３は図１における吊り足場の上部枠体の延長部近傍を建物のベランダ側から見た概略斜視図である。図４は図１の右方向から吊り足場を見た右側面図である。図５は図１で左側の前部支柱と上部枠体と固定体と可動板と支持杆とを右方向から見た一部側面図である。図６は図５における一部拡大斜視図である。図７は図１で左側の後部支柱と前部支柱と上部枠体等を右方向から見た拡大部分斜視図である。
【００２９】
上記各図において、１は吊り足場であって、この吊り足場１は、平面視において矩形状の枠体を形成しており、該矩形状枠体の少なくとも四隅部に立設した支柱２、２、２、２と、前記支柱のうち、左側の前部支柱２ａと左側の後部支柱２ｂとの下端部近くに横設した下部枠体３と、同じく右側の前部支柱２ｃと右側の後部支柱２ｄとの下端部近く横設した下部枠体３と、この下部枠体３、３に着脱自在に設けた足場板４と、左右の後部支柱２ｂ、２ｄ間と、左側の後部支柱２ｂと前部支柱２ａ間と、右側の後部支柱２ｄと前部支柱２ｃ間との３個所に、それぞれ設けた交叉ブレース５…５と、前記左側の後部支柱２ｂと前部支柱２ａ及び右側の後部支柱２ｄと前部支柱２ｃの上端に、それぞれ横設した１対の上部枠体６、６と、前記上部枠体６、６の前端に延設した延長部６ａ、６ａに設けられて、建物１００の例えばベランダの外壁１０２の屋内側に垂設される支持杆２０、２０とを備えている。
【００３０】
前記各支柱２（つまり、左側の前部支柱２ａ及び後部支柱２ｂ、並びに右側の前部支柱２ｃ及び後部支柱２ｄ）は、鉄やステンレス鋼製の円筒状パイプとしており、左側の前部支柱２ａと左側の後部支柱２ｂとの下端部近く、及び右側の前部支柱２ｃと右側の後部支柱２ｄとの下端部近くには下部枠体３、３が溶接により固定してある。
なお、左側の後部支柱２ｂと右側の後部支柱２ｄとの下端部近くと、左側の前部支柱２ａと右側の前部支柱２ｃとの下端部近くも、前述のように、溶接により下部枠体３、３を設けることもできるが、本実施例では吊り足場の軽量化を図るために取り付けていない。
【００３１】
足場板４は、図１及び図２に示すように、前記一対の下部枠体３，３間に架設され、その床面上に作業者が立ち入ってベランダ等の外壁などの仕上げ作業などを行う足場を形成するものである。図示の構成に限定されず、公知のもの等を採用することができる。
この足場板４は、所望の強度を有し、かつ計量となる例えばアルミ材などで製造するのが好ましい。また、この足場板４は、左右両端側に、それぞれ一対のフック４ａ、４ａを設け、このフック４ａ、４ａを対応する下部枠体３に掛止するようにして、着脱自在としている。そして、該足場板４の後端部側の長手方向には、起立壁４ｂを立設し、これによって足場板４上に載置された道具類やボルト、ナット等の金物等が地上に落下するのを防止することができる。
【００３２】
交叉ブレース５は、吊り足場１を枠体構造体として補強するもので、前述したように、吊り足場１が建物１００の外壁１０２に対面する前部側を避けた、後部側と左右両側の３個所に設けてある。そして、各交叉ブレース５は、タスキ掛け状にして、取り付ける一対の支柱２ａ、２ｂ；２ｂ、２ｄ；２ｄ、２ｃの内側に取り付けると共に、前記一対の支柱の内側位置において上下両側には上部横部材５ａ、下部横部材５ｂ（但し後部側には実施例では取り付けていない。）を取り付けてある。また、図５に示すように、交叉ブレース５の端部と、上部横部材５ａ及び下部横部材５ｂの端部に形成した嵌合孔５ｄに、支柱２の内側へ突設した取付軸５ｃを嵌挿し、該取付軸５ｃの先端部に設けた抜け止め部材５ｅを起立させることにより、これらの交叉ブレース５及び上・下部横部材５ａ、５ｂが脱落することなく結合される。一方、前記抜け止め部材５ｅを水平方向に操作することにより、これらの交叉ブレース５及び上・下横部材５ａ、５ｂが支障なく、各支柱２…２から取り外すことができる。
【００３３】
前記上部枠体６、６は、四角筒状の長尺物であって、左側の前部支柱２ｃと後部支柱２ｂの上端部に溶着した断面コ字状の取付部材７、７に前記上部枠体６を嵌合して、両者７、６をボルト・ナット８で固定している。同様にして、右側の前部支柱２ｃと後部支柱２ｄの上端部に溶着した断面コ字状の取付部材７、７に他方の上部枠体６を嵌合して、両者７、６をボルト・ナット９で固定している。
このように、上部枠体６、６は、取付部材７、７にボルト・ナット８、９で固定しているので、前部支柱２ａ、２ｃ及び後部支柱２ｂ、２ｄから着脱自在である。
【００３４】
上部枠体６、６には、前部支柱２ａ、２ｃより前方へ延長した延長部６ａが形成されている。
この延長部６ａには、前端部に支持杆２０を、その支持杆２０より後方位置に可動板３０を、この可動板３０より後方位置に固定体４０を設けている。
【００３５】
前記支持杆２０は、図３に示されているように、建物１００のベランダ１０１等の外壁１０２の屋内側に垂設されるものであって、水平断面が四角筒状（この形状に限定されない。）としてある。
そして、この支持杆２０の上部と下部には、ボルト嵌通穴２３，２４を穿設し、このボルト嵌通穴２３，２４へ、前方より前記可動板３０方向にネジ込みできるようにした調節ボルト２１、２２が横設してある。この調節ボルト２１，２２は同一長さのものでもよいが、本実施例では、前記可動板３０と固定体４０間のストローク長さの色々な場合を想定して異なる寸法としている。
【００３６】
可動板３０は、図３〜図７に示されているように、上部枠体６の延長部６ａを嵌挿穴３１ａに嵌挿して、該可動板３０自体が前後動される保持部３１と、該保持部３１に一体に形成された水平断面が逆コ字状の板部３２とからなっている。そのため、この可動板３０は手動により上部枠体６の延長部６ａを前進又は後退できる。
【００３７】
そして、可動板３０の背面（後面）つまり建物１００の外壁１０２を挟持する面には、緩衝ゴム等の緩衝材３５が板状にして、接着剤等による接着やネジなどにより固定してある。
この緩衝材３５の固定はこれに限らず適宜選定することができる。なお、前記緩衝材３５の形状は、図示の板状のものに限らず、円板状や平板状の小片を複数個所に設けたものでもよく、その形状は任意である。
【００３８】
固定体３０は、上部枠体６の延長部６ａを嵌挿穴４１ａに嵌挿して、該固定体４０自体が上部枠体の延長部６ａに対し少し揺動できるように遊嵌合した保持部４１と、該保持部４１に一体に形成された水平断面が四角形状の筒部４２とからなっている。そして、前記筒部４２の前面の上下２個所には、緩衝ゴム等の緩衝材４６がネジや接着剤等により固定してある。この緩衝材４６の形状は板状などでもよく任意である。
また、前記保持部４１は、上部枠体６の延長部６ａに形成した貫通孔（図示せず）に嵌挿したボルト４３とナット４４で締め付けられると共に、上方からボルト４５で締め付けるようにしている。
【００３９】
前記固定体４０は、前述したように、保持部４１が遊嵌合の構造であると共に、筒部４２の前面に緩衝材４６を設けているので、吊り足場１を建物１００のベランダ１０１の外壁１０２に設置した場合に、固定体４０の前面が外壁１０２に支障なく当接する。
【００４０】
そこで、固定体４０と可動板３０との間に、建物１００のベランダ１０１等の外壁１０２を嵌装し、前記支持杆２０に設けた調節ボルト２１、２２により可動板３０を移動し、建物１００の外壁１０２を固定体４０と可動板３０とで挟持するように構成してある。
即ち、固定体４０と可動板３０間の距離Ｌ（図４、図５参照）が、可動板３０を上部枠体６の延長部６ａに対し移動することにより、任意ストローク長さだけ調節できるので、建物１００の外壁１０２の厚さ寸法が異なっても確実に対応することができる。
【００４１】
吊り足場１を建物１００のベランダ１０１等の外壁１０２に設置する場合には、図１〜３に示すように、建物１００の外壁１０２の頂面部にポリウレタンや緩衝ゴム等の緩衝材からなる当て布１０３を設け、この当て布１０３を前記上部枠体６の延長部６ａと可動板３０及び固定体４０の上端とで挟持すると共に、可動板３０を建物１００の外壁１０２の屋内側面に当接し、固定体３０を前記外壁１０２の屋外側面に当接させるようにしてある。
【００４２】
前部支柱２ａ、２ｃには、緩衝ゴム等からなる緩衝材５０が前方へ突設してある。
本実施例では、前部支柱２ａ、２ｃの下部の外側面に細長のナット部材５１を溶着すると共に、該ナット部材５１に螺合されるネジ柱５２を設け、このネジ柱５２の先端部に前記緩衝材５０を螺合等により取り付けてある。
【００４３】
なお、支柱２は、アルミ材からなる型材でもよい。また、支柱２は、四隅部にに１本ずつ設けているが、建物の外壁に対向する吊り足場１の前部開口を除いて、左右両側の前部支柱２ａ、２ｃと後部支柱２ｂ、２ｄとの間、後部側の左右両支柱２ｂ、２ｄとの間に、更に支柱を１本以上ずつ追加することができる。
【００４４】
また、下部枠体３は、本実施例では左右両側に設けたが、前部側又は後部側に設けることができる。
【００４５】
左右両側の後部支柱２ｂ、２ｄの上端部にも、上部枠体を設けることもできる。
【００４６】
支持杆２０に設ける調節ボルトは、本実施例では上下部に２本（２１、２２）を設けているが、１本でも良く、その個数は任意であると共に、その取付位置も適宜選定できる。
【００４７】
なお、図１、図２、図４において、６０は下部枠体３に回動自在に枢着した抜け止め部材であって、これにより足場板４が落下するのを防止する。
【符号の説明】
【００４８】
１          吊り足場  
２          支柱
２ａ        左側の前部支柱
２ｂ        左側の後部支柱
２ｃ        右側の前部支柱
２ｄ        右側の後部支柱
３          下部枠体
４          足場板
５          交叉ブレース
６          上部枠体
６ａ        延長部
２０        支持杆
２１        調節ボルト
２２        調節ボルト      
３０        可動板
３１        保持部
３２        板部
３５        緩衝材
４０        固定体
４１        保持部
４２        筒部
４６        緩衝材
５０        緩衝材
１００      建物
１０２      外壁
１０３      当て布
【図１】
2013113069.tif 000003
【図２】
2013113069.tif 000004
【図３】
2013113069.tif 000005
【図４】
2013113069.tif 000006
【図５】
2013113069.tif 000007
【図６】
2013113069.tif 000008
【図７】
2013113069.tif 000009